(57)【要約】【課題】  生産能力及び取り扱い性が向上し、電気的特性を良好に維持することが可能な配線ユニットケーブル用ジョイントボックスを提供する。【解決手段】  配線ユニットケーブル２２を構成する絶縁線心２７の端末を結線して形成した結線部２３を、ジョイントボックス本体２４と、そのジョイントボックス本体２４に対して一体又は別体状態で係合するジョイントボックスカバー２５との内部に収納することにより、結線部２３を外部に対して保護する。ジョイントボックス本体２４には、小径の引出側収納部３０と、その引出側収納部３０に連続する大径の収納部２９とを設ける。また、引出側収納部３０には、複数の貫通孔４２と、貫通孔４２を介してジョイントボックス本体２４に一体化し且つ配線ユニットケーブル２２を略双曲線形状に束ねる結束バンド２６とを設ける。【選択図】    図１
2005080446.tif 000002
【特許請求の範囲】
【請求項１】
配線ユニットケーブルを構成する絶縁線心の端末を結線して形成した結線部を、ジョイントボックス本体と、該ジョイントボックス本体に対して一体又は別体状態で係合するジョイントボックスカバーとの内部に収納することにより、前記結線部を外部に対して保護する配線ユニットケーブル用ジョイントボックスであって、
前記ジョイントボックス本体に、小径の引出側収納部と、該引出側収納部に連続する大径の収納部とを設け、
前記引出側収納部には、複数の貫通孔と、該貫通孔を介して前記ジョイントボックス本体に一体化し且つ前記配線ユニットケーブルを略双曲線形状に束ねる結束バンドとを設けた
ことを特徴とする配線ユニットケーブル用ジョイントボックス。
【請求項２】
請求項１に記載の配線ユニットケーブル用ジョイントボックスにおいて、
前記ジョイントボックスカバーに、前記引出側収納部及び前記収納部に対面する小径のカバー引出側収納部及び該カバー引出側収納部に連続する大径のカバー側収納部を形成した
ことを特徴とする配線ユニットケーブル用ジョイントボックス。
【請求項３】
請求項１又は請求項２に記載の配線ユニットケーブル用ジョイントボックスにおいて、
少なくとも前記ジョイントボックスカバーを透明樹脂で成形した
ことを特徴とする配線ユニットケーブル用ジョイントボックス。
【請求項４】
請求項１ないし請求項３いずれか記載の配線ユニットケーブル用ジョイントボックスにおいて、
前記ジョイントボックス本体の上部及び側部に、縦固定用及び横固定用の固定穴を形成した
ことを特徴とする配線ユニットケーブル用ジョイントボックス。
【発明の詳細な説明】
【技術分野】
【０００１】
本発明は、配線ユニットケーブル用ジョイントボックスに関し、特に、結線部周りの樹脂モールドをなくした構造の配線ユニットケーブル用ジョイントボックスに関する。
【背景技術】
【０００２】
近年、玄関や居間や寝室などの各部屋別にユニット化した部屋ユニットを住宅メーカーの工場で製造し、それらを施工現場で施主の希望や敷地形状に応じて組み付けることにより、一つの家屋が出来上がるようなプレハブ住宅工法が知られている。プレハブ住宅工法においては、各部屋ユニット別の配線も予め工場内で行われるようになっており、その配線によって屋内配線作業の簡素化を達成することができるようになっている。屋内配線作業の簡素化を達成するためには、ジョイントボックスが用いられている。
【０００３】
従来のジョイントボックスとしては、下記特許文献１に開示されるようなものが知られている。図９において、ジョイントボックス１は、その内部に絶縁性の熱硬化樹脂（エポキシ樹脂等）２が充填・モールドされている。分岐接続した屋内配線ユニットケーブル３の結線部４は、熱硬化樹脂２により固定及び保護されている。
【０００４】
また、従来の他のジョイントボックスとしては、下記特許文献２に開示されるようなものが知られている。図１０において、ジョイントボックス５は、透明且つ略釣り鐘形状に形成されている。このような形状のジョイントボックス５には、複数の貫通孔６が形成されており、その貫通孔６を介して結束バンド７が取り付けられている。結束バンド７は、ジョイントボックス５内に差し込まれた屋内配線ユニットケーブル８を結束するために設けられている。結束バンド７により結束された部分の直上には、屋内配線ユニットケーブル８の折り曲げ部９が形成されている。折り曲げ部９は、屋内配線ユニットケーブル８を結束バンド７に引っ掛けるために複数形成されている。
【特許文献１】登録実用新案第３００５９１２号公報  （第２頁、第１図）
【特許文献２】特開平１０−２９５０２５号公報  （第２−３頁、第６図）
【発明の開示】
【発明が解決しようとする課題】
【０００５】
ところで、上記従来のジョイントボックス１にあっては、熱硬化樹脂の硬化時間が必然的に発生して生産能力を向上させることができないという問題点を有している。また、ジョイントボックス１の製品完成後にケーブル結線の誤配線が発覚しても、結線部４が樹脂モールドされているために修復が不可能であり、ジョイントボックス１を廃棄して新たに製造し直すしかないという問題点を有している。さらに、ジョイントボックス１の内部全体が樹脂モールドされているために重量が重くなり、取り扱い性に影響を来しているという問題点を有している。
【０００６】
一方、上記従来のジョイントボックス５にあっては、屋内配線ユニットケーブル８に無理な張力が掛かった場合、折り曲げ部９の屈曲が小さいとその折り曲げ部９が開いて平らになり、屋内配線ユニットケーブル８が抜けてしまう可能性があるという問題点を有している。逆に、折り曲げ部９の屈曲が大きいと屋内配線ユニットケーブル８に張力が掛かった場合、折り曲げ部９が過剰に曲げられて電気的特性に影響を来してしまう可能性があるという問題点を有している。
【０００７】
本発明は、上述した事情に鑑みてなされるもので、生産能力及び取り扱い性が向上し、製品完成後に誤配線が発見されても結線の修復が可能な配線ユニットケーブル用ジョイントボックス、且つ、電気的特性を良好に維持することが可能な配線ユニットケーブル用ジョイントボックスを提供することを課題とする。
【課題を解決するための手段】
【０００８】
上記課題を解決するためなされた請求項１記載の本発明の配線ユニットケーブル用ジョイントボックスは、配線ユニットケーブルを構成する絶縁線心の端末を結線して形成した結線部を、ジョイントボックス本体と、該ジョイントボックス本体に対して一体又は別体状態で係合するジョイントボックスカバーとの内部に収納することにより、前記結線部を外部に対して保護する配線ユニットケーブル用ジョイントボックスであって、前記ジョイントボックス本体に、小径の引出側収納部と、該引出側収納部に連続する大径の収納部とを設け、前記引出側収納部には、複数の貫通孔と、該貫通孔を介して前記ジョイントボックス本体に一体化し且つ前記配線ユニットケーブルを略双曲線形状に束ねる結束バンドとを設けたことを特徴としている。
【０００９】
このような特徴を有する本発明によれば、熱硬化樹脂を用いなくとも配線ユニットケーブルの複数が固定及び保護される。また、熱硬化樹脂を用いないことから、生産性が向上するとともに、重量が軽減されて取り扱い性も向上する。さらに、ジョイントボックスカバーを取り外すことで容易に結線の修復等が行える。さらにまた、配線ユニットケーブルの複数が結束バンドにより略双曲線形状に束ねられ、小径の引出側収納部と大径の収納部とに跨って収納されることから、仮に無理な張力が掛かったとしても、結束バンドへの恰も食い込むような接触、ケーブル相互間の摩擦力、引出側収納部及び収納部の径の大きさの違い、の各々によってケーブルの抜け止め効果が発揮される。従って、配線ユニットケーブルに対し抜け止め用の無理な折り曲げ部を設けなくとも、ケーブルの抜けが防止される。尚、本発明の構成及び構造によって、配線ユニットケーブルの電気的特性が悪くなることはない。
【００１０】
請求項２記載の本発明の配線ユニットケーブル用ジョイントボックスは、請求項１に記載の配線ユニットケーブル用ジョイントボックスにおいて、前記ジョイントボックスカバーに、前記引出側収納部及び前記収納部に対面する小径のカバー引出側収納部及び該カバー引出側収納部に連続する大径のカバー側収納部を形成したことを特徴としている。このような特徴を有する本発明によれば、配線ユニットケーブルに対する収納用の空間が増大する。
【００１１】
請求項３記載の本発明の配線ユニットケーブル用ジョイントボックスは、請求項１又は請求項２に記載の配線ユニットケーブル用ジョイントボックスにおいて、少なくとも前記ジョイントボックスカバーを透明樹脂で成形したことを特徴としている。このような特徴を有する本発明によれば、ジョイントボックスカバーを取り外さなくとも内部の確認が可能になる。
【００１２】
請求項４記載の本発明の配線ユニットケーブル用ジョイントボックスは、請求項１ないし請求項３いずれか記載の配線ユニットケーブル用ジョイントボックスにおいて、前記ジョイントボックス本体の上部及び側部に、縦固定用及び横固定用の固定穴を形成したことを特徴としている。このような特徴を有する本発明によれば、ネジや結束バンド等の固定部材を用いて例えば屋内の根太や造営材への縦固定又は横固定が可能になる。
【発明の効果】
【００１３】
請求項１に記載された本発明によれば、生産能力及び取り扱い性を向上させることができるという効果を奏する。また、製品完成後に誤配線が発見されても結線の修復を行うことができるという効果を奏する。さらに、配線ユニットケーブルケーブルの抜けを防止して電気的特性を良好に維持することができるという効果を奏する。
【００１４】
請求項２に記載された本発明によれば、より多くの配線ユニットケーブルを収納することができるという効果を奏する。
【００１５】
請求項３に記載された本発明によれば、結線不備等の結線確認を容易に行うことができるという効果を奏する。また、導通試験等の電気試験を行わなくとも不具合を発見することができるという効果を奏する。
【００１６】
請求項４に記載された本発明によれば、縦又は横のいずれか最良の向きで固定することができるという効果を奏する。
【発明を実施するための最良の形態】
【００１７】
以下、図面を参照しながら説明する。
図１は本発明の配線ユニットケーブル用ジョイントボックスの一実施の形態を示す構成図である。また、図２は配線ユニットケーブル用ジョイントボックスの展開図、図３は結束バンドによる固定前の状態を示す説明図、図４はジョイントボックス本体とジョイントボックスカバーとの係合状態を示す説明図、図５は結束バンドによる固定後の状態を示す説明図、図６〜図８は取り付け例を示す斜視図である。
【００１８】
図１において、引用符号２１は複数の配線ユニットケーブル２２の複数の結線部２３を外部に対して保護することができるように形成した配線ユニットケーブル用ジョイントボックスを示している。その配線ユニットケーブル用ジョイントボックス２１は、複数の結線部２３を収納するための合成樹脂製の透明なジョイントボックス本体２４と、そのジョイントボックス本体２４に対して開閉自在に係合する合成樹脂製の同じく透明なジョイントボックスカバー２５と、複数の配線ユニットケーブル２２を結束するための合成樹脂製の結束バンド２６とを備えて構成されている。以下、上記各構成について説明する。
【００１９】
上記結線部２３は、配線ユニットケーブル２２を構成する複数の絶縁線心２７の端末を所定の経路同士となるように結線して形成されている。その結線には、絶縁線心２７の端末を接続する電線コネクタ２８が設けられている。電線コネクタ２８は、絶縁性を有しており、他の電線コネクタ２８等に接触しても電気的な導通が得られないように形成されている。尚、電線コネクタ２８に替えて絶縁性を有する既知の絶縁チューブ、圧着スリーブを用いてもよいものとする。
【００２０】
図１及び図２において、上記ジョイントボックス本体２４は、大きな収納部２９と、これよりも小さな引出側収納部３０と、取り付け部３１、３２とを有している。また、ジョイントボックス本体２４は、複数の配線ユニットケーブル２２が差し込まれる方向の面と、複数の配線ユニットケーブル２２が引き出される方向の面とが開放される図示の箱形状となるように形成されている。
【００２１】
収納部２９は、矩形状の奥壁３３と、その奥壁３３の周縁部に設けられる上壁３４、側壁３５、３５、及び下壁３６とを有して構成されている。尚、本形態の上壁３４、側壁３５、３５、及び下壁３６の高さは、上記ジョイントボックスカバー２５の後述する正面壁４８の曲率半径に合わせて形成されている（図４の仮想線参照）。
【００２２】
奥壁３３は、平坦に形成されている。また、奥壁３３は、結束バンド２６により束ねられた後の配線ユニットケーブル２２の結線部２３側となる、後述する結線側膨らみ部分４４の大きさに対応する面積を有するように形成されている。上壁３４には、その基端部分に取り付け部３１が連成されている。
【００２３】
一方の側壁３５には、その先端部分にヒンジ３７が連成されている。上記ジョイントボックスカバー２５は、ヒンジ３７を介してジョイントボックス本体２４に連成されている（別体で着脱自在にしてもよいものとする）。
【００２４】
他方の側壁３５には、その先端部分に既知の係止部３８、３８が形成されている。また、他方の側壁３５には、その基端部分に取り付け部３２が連成されている。
【００２５】
下壁３６には、半円形状の引き出し口３９が形成されている。また、その引き出し口３９の外側には、引出側収納部３０が連成されている。取り付け部３１、３２には、縦固定用の複数の固定穴４０、横固定用の複数の固定穴４１が貫通形成されている。
【００２６】
引出側収納部３０は、半円筒形状に形成されている。このような引出側収納部３０には、一対の貫通孔４２、４２が形成されている。貫通孔４２、４２には、上記結束バンド２６が取り付けられるようになっている。結束バンド２６は、上述の如く複数の配線ユニットケーブル２２を束ねるための既知の部材であって、その配線ユニットケーブル２２を構成するシース４３の上から巻き付けられるようになっている。
【００２７】
結束バンド２６による結束がなされると、複数の配線ユニットケーブル２２は、略双曲線形状に束ねられるようになっている。すなわち、結束バンド２６を境にして結線側膨らみ部分４４と引出側膨らみ部分４５とが形成されるようになっている（図５参照）。収納部２９と引出側収納部３０の形状に大小の差をつけたのは、略双曲線形状に束ねられる複数の配線ユニットケーブル２２の形状に合わせるためである。
【００２８】
上記ジョイントボックスカバー２５は、大きなカバー側収納部４６とこれよりも小さなカバー引出側収納部４７とを有している。また、ジョイントボックスカバー２５は、図示のような大小二つの中空蒲鉾形状の部分が連なるように形成されている。ジョイントボックスカバー２５は、ジョイントボックス本体２４の複数の配線ユニットケーブル２２が差し込まれる方向の面を覆うために設けられている。
【００２９】
カバー側収納部４６は、正面壁４８と、その正面壁４８の上下に連成される上壁４９及び下壁５０とを有して構成されている。正面壁４８は、半円弧状の曲面を有するように形成されている。正面壁４８の一側端には、ヒンジ３７が連成されている。また、正面壁４８の他側端には、ジョイントボックス本体２４の係止部３８、３８に係止される係止突起５１、５１が形成されている。
【００３０】
上壁４９及び下壁５０は、半円形状に形成されている。下壁５０には、半円形状の引き出し口５２が形成されている。また、その引き出し口５２の外側には、カバー引出側収納部４７が連成されている。カバー引出側収納部４７は、半円筒形状に形成されている。
【００３１】
ジョイントボックスカバー２５は、略双曲線形状に束ねられる複数の配線ユニットケーブル２２の形状に合わせて形成されている。
【００３２】
次に、上記構成に基づきながら配線ユニットケーブル用ジョイントボックス２１の組み付けに係る作業を説明する。
【００３３】
先ず、各配線ユニットケーブル２２の端末加工を行い、結線部２３を形成する。絶縁線心２７の端末は、所定の経路同士となるように結線され、電線コネクタ２８が設けられる。次に、複数の配線ユニットケーブル２２を透明なジョイントボックス本体２４に差し込み、図３及び図５に示される如く結束バンド２６で結束する。
【００３４】
この時、複数の配線ユニットケーブル２２は、略双曲線形状に束ねられ、結束バンド２６を境にして結線側膨らみ部分４４と引出側膨らみ部分４５とが形成される（図５参照）。結線側膨らみ部分４４は、収納部２９に収納され、結束バンド２６によって小さくなった部分は、引出側収納部３０に収納される。引出側膨らみ部分４５は、引出側収納部３０の外側に位置する。複数の配線ユニットケーブル２２は、結束バンド２６によってジョイントボックス本体２４に固定される。
【００３５】
続いて、ジョイントボックス本体２４を透明なジョイントボックスカバー２５で覆い、係止突起５１、５１を係止部３８、３８に係止させる。ジョイントボックス本体２４の開放された部分は、ジョイントボックスカバー２５によって蓋がされたような状態になり、一連の組み付けに係る作業が完了する。
【００３６】
この時、結束バンド２６によって束ねられた複数の配線ユニットケーブル２２の結線側膨らみ部分４４は、カバー側収納部４６にも収納される。また、結束バンド２６によって小さくなった部分は、カバー引出側収納部４７にも収納される（図１及び図４参照）。収納された複数の配線ユニットケーブル２２は、透明なジョイントボックスカバー２５の外側からでも結線状態が確認される。
【００３７】
以上、図１ないし図５までを参照しながら説明してきたように、従来例のような熱硬化樹脂を用いなくとも配線ユニットケーブル２２の複数を固定及び保護することができる。また、本発明では、従来例のような熱硬化樹脂を用いていないことから、生産性を向上させるとともに、重量を軽減して取り扱い性も向上させることができる。さらに、ジョイントボックスカバー２５を取り外すことで容易に結線の修復等を行うことができる。
【００３８】
さらにまた、配線ユニットケーブル２２の複数を結束バンド２６により略双曲線形状に束ね、大径の収納部２９と小径の引出側収納部３０とに跨って収納することから、仮に無理な張力が掛かったとしても、結束バンド２６への恰も食い込むような接触、ケーブル相互間の摩擦力、収納部２９及び引出側収納部３０の径の大きさの違い、の各々によってケーブルの抜け止め効果を発揮することができる。従って、配線ユニットケーブル２２に対し、従来例のような抜け止め用の無理な折り曲げ部を設けなくとも、ケーブルの抜けを防止することができる。そして、配線ユニットケーブル２２の電気的特性を良好に保つことができる。
【００３９】
さらにまた、透明であることから結線不備等の結線確認を容易に行えるため、導通試験等の電気試験を行わなくとも不具合を発見することができる。
【００４０】
続いて、配線ユニットケーブル用ジョイントボックス２１の取り付け例を説明する。図６は造営材への取り付け例を示す斜視図、図７及び図８は根太への取り付け例を示す斜視図である。
【００４１】
図６において、配線ユニットケーブル用ジョイントボックス２１は、既知の結束バンド５３を用いて造営材５４に取り付けられている。図６中では、結束バンド５３を取り付け部３１の固定穴４０、４０に差し込んで縦固定した状態の例が一例として示されている。
【００４２】
図７において、配線ユニットケーブル用ジョイントボックス２１は、既知のボルト５５を用いて屋内の根太５６に取り付けられている。図７中では、ボルト５５を取り付け部３１の固定穴４０、４０にねじ込んで縦固定した状態の例が一例として示されている。
【００４３】
図８において、配線ユニットケーブル用ジョイントボックス２１は、既知のボルト５５を用いて屋内の根太５６に取り付けられている。図８中では、ボルト５５を取り付け部３２の固定穴４１にねじ込んで横固定した状態の例が一例として示されている。
【００４４】
その他、本発明は本発明の主旨を変えない範囲で種々変更実施可能なことは勿論である。
【図面の簡単な説明】
【００４５】
【図１】本発明による配線ユニットケーブル用ジョイントボックスの一実施の形態を示す構成図である。
【図２】配線ユニットケーブル用ジョイントボックスの展開図である。
【図３】結束バンドによる固定前の状態を示す説明図である。
【図４】ジョイントボックス本体とジョイントボックスカバーとの係合状態を示す説明図である。
【図５】結束バンドによる固定後の状態を示す説明図である。
【図６】造営材への取り付け例（縦固定）を示す斜視図である。
【図７】根太への取り付け例（縦固定）を示す斜視図である。
【図８】根太への取り付け例（横固定）を示す斜視図である。
【図９】従来例のジョイントボックスの構成図である。
【図１０】他の従来例のジョイントボックスの構成図である。
【符号の説明】
【００４６】
２１  配線ユニットケーブル用ジョイントボックス
２２  配線ユニットケーブル
２３  結線部
２４  ジョイントボックス本体
２５  ジョイントボックスカバー
２６  結束バンド
２７  絶縁線心
２８  電線コネクタ
２９  収納部
３０  引出側収納部
３１、３２  取り付け部
３３  奥壁
３４  上壁（上部）
３５  側壁（側部）
３６  下壁
３７  ヒンジ
３８  係止部
３９  引き出し口
４０、４１  固定穴
４２  貫通孔
４３  シース
４４  結線側膨らみ部分
４５  引出側膨らみ部分
４６  カバー側収納部
４７  カバー引出側収納部
４８  正面壁
４９  上壁
５０  下壁
５１  係止突起
５２  引き出し口
５３  結束バンド
５４  造営材
５５  ボルト
５６  根太
【図１】
2005080446.tif 000003
【図２】
2005080446.tif 000004
【図３】
2005080446.tif 000005
【図４】
2005080446.tif 000006
【図５】
2005080446.tif 000007
【図６】
2005080446.tif 000008
【図７】
2005080446.tif 000009
【図８】
2005080446.tif 000010
【図９】
2005080446.tif 000011
【図１０】
2005080446.tif 000012